【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
透明基板の厚さが異なる複数種類の光記録媒体毎に異なる波長の光ビームを該透明基板を介して入射させ、該光記録媒体の該透明基板に設けられた情報記録面に集光させる正のパワーを有する対物レンズであって、
レンズ面が、該異なる波長でかつ該異なる複数種の光記録媒体の情報記録面上に集光させる光ビームが通るレンズ面第１領域と、該レンズ面第１領域の外側に位置し該複数種の光記録媒体のうちの一種の光記録媒体の情報記録面上のみに集光させる光ビームが通るレンズ面第２領域とから構成され、
該レンズ面第１領域は、
該光ビームの波長λの違いによって発生する色収差と該光記録媒体の透明基板の厚みの違いによって発生する波面収差とが相殺し合って、
かつ任意の光線高さに対する該光記録媒体の該情報記録面上での収差が、いずれの種類の光記録媒体に対しても、該当する光ビームを該情報記録面でＲＭＳ波面収差比が、該光ビームの波面収差のうちの最大のＲＭＳ波面収差をＷmaxとし、最小のＲＭＳ波面収差をＷminとして、
１≦Ｗmax／Ｗmin≦1.8
で集光させる許容値内にあるような、非球面形状で構成され、
該レンズ面第２領域は、
該一種の光記録媒体の情報記録面上のみに集光させる光ビーム以外の波長の光ビームについて、横収差量が0.015ｍｍ以上となるように構成されたことを特徴とする対物レンズ。
【請求項２】
請求項１記載の対物レンズにおいて、
前記レンズ面第１領域は、前記ＲＭＳ波面収差比が
１≦Ｗmax／Ｗmin≦1.6
で前記該当する光ビームを集光させる許容値内にあるような、非球面形状としたことを特徴とする対物レンズ。
【請求項３】
複数の異なる波長の光ビームを発生するレーザと、透明基板の厚さが異なる複数種の光記録媒体毎に該異なる波長の光ビームを該透明基板を介して入射させ、該光記録媒体の該透明基板に設けられた情報記録面に該光ビームを集光させる正のパワーを有する対物レンズと、該対物レンズを介して該光記録媒体から反射された該光ビームを検出する光検出器からなる光ピックアップ装置において、
該対物レンズは、該異なる波長でかつ該異なる複数類の光記録媒体の情報記録面上に光ビームが通るレンズ面第１領域と、該レンズ面第１領域の外側に位置し、該複数種の光記録媒体のうちの一種の光記録媒体の情報記録面上のみに集光させる光ビームが通るレンズ面第２領域とを有し、
該レンズ面第１領域は、該光ビームの波長λの違いによって発生する色収差と該光記録媒体の透明基板の厚みの違いによって発生する波面収差とが相殺し合って、かつ任意の光線高さに対する該光記録媒体の該情報記録面上での収差が、いずれの種類の光記録媒体に対しても、該当する光ビームを該情報記録面でＲＭＳ波面収差比が、該光ビームの波面収差のうちの最大のＲＭＳ波面収差をＷmaxとし、最小のＲＭＳ波面収差をＷminとして、
１≦Ｗmax／Ｗmin≦1.8
で集光させる許容値内にあるような、非球面形状で構成され、
該レンズ面第２領域は、該一種の光記録媒体の情報記録面上のみに集光させる光ビーム以外の波長の光ビームについて、横収差量が0.015ｍｍ以上となるように構成されたことを特徴とする光ピックアップ装置。
【請求項４】
請求項３に記載の光ピックアップ装置を備えたことを特徴とする光ディスク装置。
【手続補正２】
【補正対象書類名】明細書
【補正対象項目名】発明の名称
【補正方法】変更
【補正の内容】
【発明の名称】対物レンズ，光ピックアップ装置及び光ディスク装置
【手続補正３】
【補正対象書類名】明細書
【補正対象項目名】０００１
【補正方法】変更
【補正の内容】
【０００１】
本発明は、主にＣＤ（Compact Disc：ＣＤ−ＲなどのＣＤも含む）やＤＶＤ（Digital Versatile Disc）など種類が異なる光記録媒体に対応できる互換型の記録再生装置に用いる対物レンズ，光ピックアップ装置及び光ディスク装置に関する。
【手続補正４】
【補正対象書類名】明細書
【補正対象項目名】００１２
【補正方法】変更
【補正の内容】
【００１２】
本発明の目的は、かかる問題を解消し、透明基板の厚さが異なる複数種の光記録媒体夫々に対し、可及的に波面収差が低減された状態で、しかも、高い光利用効率で光ビームを情報記録面に集光させることができるようにした対物レンズ，光ピックアップ装置及び光ディスク装置を提供することにある。
【手続補正５】
【補正対象書類名】明細書
【補正対象項目名】００１３
【補正方法】変更
【補正の内容】
【００１３】
上記目的を達成するために、本発明は、透明基板の厚さが異なる複数種類の光記録媒体毎に異なる波長の光ビームを、該透明基板を介して入射させ、該光記録媒体の該透明基板に設けられた情報記録面に集光させる正のパワーを有する対物レンズであって、レンズ面が、該異なる波長でかつ該異なる複数種の光記録媒体の情報記録面上に集光させる光ビームが通るレンズ面第１領域と、該レンズ面第１領域の外側に位置し、該複数種の光記録媒体のうちの１種の光記録媒体の情報記録面上のみに集光させる光ビームが通るレンズ面第２領域とから構成され、該レンズ面第１領域は、該光ビームの波長λの違いによって発生する色収差と該光記録媒体の透明基板の厚みの違いによって発生する波面収差とが相殺し合って、かつ任意の光線高さに対する該光記録媒体の該情報記録面上での収差が、いずれの種類の光記録媒体に対しても、該当する光ビームを該情報記録面でＲＭＳ波面収差比が、該光ビームの波面収差のうちの最大のＲＭＳ波面収差をＷmaxとし、最小のＲＭＳ波面収差をＷminとして、
１≦Ｗmax／Ｗmin≦1.8
で集光させる許容値内にあるような、非球面形状で構成され、該レンズ面第２領域は、該１種の光記録媒体の情報記録面上のみに集光させる光ビーム以外の波長の光ビームについて、横収差量が0.015ｍｍ以上となるように構成されたことを特徴とする。
【手続補正６】
【補正対象書類名】明細書
【補正対象項目名】００１４
【補正方法】変更
【補正の内容】
【００１４】
さらに、本発明は、前記レンズ面第１領域は、前記ＲＭＳ波面収差比が
１≦Ｗmax／Ｗmin≦1.6
で前記該当する光ビームを集光させる許容値内にあるような、非球面形状としたことを特徴とする。
【手続補正７】
【補正対象書類名】明細書
【補正対象項目名】００１５
【補正方法】変更
【補正の内容】
【００１５】
上記目的を達成するために、本発明は、複数の異なる波長の光ビームを発生するレーザと、透明基板の厚さが異なる複数種の光記録媒体毎に該異なる波長の光ビームが該透明基板を介して入射され、該光記録媒体の該透明基板に設けられた情報記録面に該光ビームを集光させる正のパワーを有する対物レンズと、該対物レンズを介して該光記録媒体から反射された該光ビームを検出する光検出器からなる光ピックアップ装置であって、該対物レンズは、該異なる波長でかつ該異なる複数類の光記録媒体の情報記録面上に光ビームが通るレンズ面第１領域と、該レンズ面第１領域の外側に位置し、該複数種の光記録媒体のうちの１種の光記録媒体の情報記録面上のみに集光させる光ビームが通るレンズ面第２領域とを有し、該レンズ面第１領域は、該光ビームの波長λの違いによって発生する色収差と該光記録媒体の透明基板の厚みの違いによって発生する波面収差とが相殺し合って、かつ任意の光線高さに対する該光記録媒体の該情報記録面上での収差が、いずれの種類の光記録媒体に対しても、該当する光ビームを該情報記録面でＲＭＳ波面収差比が、該光ビームの波面収差のうちの最大のＲＭＳ波面収差をＷmaxとし、最小のＲＭＳ波面収差をＷminとして、
１≦Ｗmax／Ｗmin≦1.8
で集光させる許容値内にあるような、非球面形状で構成され、該レンズ面第２領域は、該１種の光記録媒体の情報記録面上のみに集光させる光ビーム以外の波長の光ビームについて、横収差量が0.015ｍｍ以上となるように構成されたことを特徴とする。
【手続補正８】
【補正対象書類名】明細書
【補正対象項目名】００１６
【補正方法】変更
【補正の内容】
【００１６】
上記目的を達成するために、本発明による光ディスク装置は、上記の光ピックアップ装置を備えたことを特徴とするものである。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】